(57)【要約】【課題】複数種類の取付板を準備せずとも、見栄え良くナースコール親機を設置することができるナースコール親機の設置構造を提供する。【解決手段】通話ユニット３を取り付けるための通話ユニット用取付板１０と、選局ユニット５Ａ、５Ｂを取り付けるための選局ユニット用取付板２０Ａ、２０Ｂとを別体とした。したがって、従来の如く選局ユニットの数に応じて様々なタイプの取付板を準備せずとも、設置予定の選局ユニットの数に応じて選局ユニット用取付板を増設するだけで対応することができ、通話ユニット３や選局ユニット５Ａ、５Ｂの設置が容易となるし、コスト低減にもなる。【選択図】図２
2015027047.tif 000002
【特許請求の範囲】
【請求項１】
ハンドセットを有する通話ユニットと、複数の選局スイッチを有する選局ユニットとを備えたナースコール親機を、設置面に対し前記通話ユニットと前記選局ユニットとを左右方向へ並べて設置するための設置構造であって、
前記通話ユニットと前記設置面との間に矩形の金属板からなる第１の取付板を、前記選局ユニットと前記設置面との間に矩形の金属板からなる第２の取付板を夫々介在させるとともに、
前記第１の取付板及び前記第２の取付板の外周縁部に、上辺、左右両側辺、及び下辺を前記設置面側へ折り曲げてなる折り曲げ部が設けられている一方、
前記第１の取付板の表面における左右両側縁部の少なくとも何れか一方に、側方に開放された複数の位置決め凹部が設けられているとともに、前記第２の取付板の表面における前記位置決め凹部に隣接する側の側縁部に、前記位置決め凹部に差し込み可能な複数の舌片が、前記第１の取付板側へ突出するように前記折り曲げ部から切り起こし状に設けられ、さらに、前記第２の取付板の表面における前記舌片が設けられていない側の側縁部に、側方に開放されて前記舌片を側方から差し込み可能な位置決め凹部が設けられていることを特徴とするナースコール親機の設置構造。
【請求項２】
前記選局ユニットの前記第２の取付板と対向する面における左右長さが前記第２の取付板の左右長さよりも短く、前記選局ユニットが前記第２の取付板の表面上に載っていて、前記第２の取付板の表面上で左右方向へスライド可能となっているとともに、前記選局ユニットの前記第２の取付板に対する固定位置を左右方向で調整可能な調整機構が設けられていることを特徴とする請求項１に記載のナースコール親機の設置構造。
【発明の詳細な説明】
【技術分野】
【０００１】
本発明は、ナースコールシステムを構成するナースコール親機の設置構造に関するものである。
【背景技術】
【０００２】
従来、ナースコールシステムを構成するナースコール親機では、所謂通話ユニットや選局ユニットを左右に並設することがある。そして、通話ユニットや選局ユニットを並設するにあたっての設置構造としては、たとえば特許文献１に開示されているようなものが知られている。すなわち、一枚板状に形成された取付板の前面に、通話ユニットを取り付けるための第１取付部と、選局ユニットを取り付けるための第２取付部とを設け、取付板を壁面等の設置面へ固定した後、各取付部へ対応する機器を取り付けるといった設置構造である。
【先行技術文献】
【特許文献】
【０００３】
【特許文献１】特開２００２−２９０５３０号公報
【発明の概要】
【発明が解決しようとする課題】
【０００４】
しかしながら、ナースコール親機においてどれだけの数の選局ユニットを並設するかはケースバイケースであるため、上記設置構造であると、選局ユニットを取り付けるための第２取付部の数が異なる複数種類の取付板を準備することで問題を解決することができるものの、複数種類の取付板を準備するとなると、製造コストや管理コストの面で問題が生じる。
【０００５】
そこで、本発明は、上記問題に鑑みなされたものであって、複数種類の取付板を準備せずとも、見栄え良くナースコール親機を設置することができるナースコール親機の設置構造を提供しようとするものである。
【課題を解決するための手段】
【０００６】
上記目的を達成するために、本発明のうち請求項１に記載の発明は、ハンドセットを有する通話ユニットと、複数の選局スイッチを有する選局ユニットとを備えたナースコール親機を、設置面に対し前記通話ユニットと前記選局ユニットとを左右方向へ隣接して設置するための設置構造であって、前記通話ユニットと前記設置面との間に矩形の金属板からなる第１の取付板を、前記選局ユニットと前記設置面との間に矩形の金属板からなる第２の取付板を夫々介在させるとともに、前記第１の取付板及び前記第２の取付板の外周縁部に、前記設置面側へ折り曲げられてなる折り曲げ部が設けられている一方、前記第１の取付板の表面における左右両側縁部の少なくとも何れか一方に、側方に開放された複数の位置決め凹部が設けられているとともに、前記第２の取付板の表面における前記位置決め凹部に隣接する側の側縁部に、前記位置決め凹部に差し込み可能な複数の舌片が、前記第１の取付板側へ突出するように前記折り曲げ部から切り起こし状に設けられ、さらに、前記第２の取付板の表面における前記舌片が設けられていない側の側縁部に、側方に開放されて前記舌片を側方から差し込み可能な位置決め凹部が設けられていることを特徴とする。
この構成によると、通話ユニットを取り付けるための第１の取付板と、選局ユニットを取り付けるための第２の取付板とが別体となっているため、従来の如く選局ユニットの数に応じて様々なタイプの取付板を準備せずとも、設置予定の選局ユニットの数に応じて選局ユニット用取付板を増設するだけで対応することができ、各ユニットの設置が容易となるし、コスト低減にもなる。
また、第１の取付板、第２の取付板ともに、設置面側へ折り曲げられた折り曲げ部が外周縁部に設けられているため、強度の点においても不足はない。
さらに、第１の取付板の表面における左右両側縁部の少なくとも何れか一方に、側方に開放された複数の位置決め凹部を設けているとともに、第２の取付板の表面における位置決め凹部に隣接する側の側縁部に、位置決め凹部に差し込み可能な複数の舌片を、第１の取付板側へ突出するように折り曲げ部から切り起こし状に設けているため、位置決め凹部へ舌片を差し込むだけで、第１の取付板に対する第２の取付板の設置位置を位置決め可能となっている。したがって、通話ユニット及び選局ユニットを設置した際に見栄えが良くなるような位置に、第２の取付板を容易に設置することができる。
加えて、折り曲げ部同士を当接させて位置決めしようとすると、折り曲げ部の表面の成形に精度を求められることになり、製造コストが高騰する上、精度の向上にも限度がある。しかしながら、本発明に係る設置構造では、位置決め凹部と舌片とにより位置決めするため、折り曲げ部同士を当接させて位置決めする構成と比較して、低コストで精度良く位置決めすることができる。
【０００７】
請求項２に記載の発明は、請求項１に記載の発明において、前記選局ユニットの前記第２の取付板と対向する面における左右長さが前記第２の取付板の左右長さよりも短く、前記選局ユニットが前記第２の取付板の表面上に載っていて、前記第２の取付板の表面上で左右方向へスライド可能となっているとともに、前記選局ユニットの前記第２の取付板に対する固定位置を左右方向で調整可能な調整機構が設けられていることを特徴とする。
この構成によれば、選局ユニットが第２の取付板の表面上に載っていて、第２の取付板の表面上で左右方向へスライド可能となっているとともに、選局ユニットの第２の取付板に対する固定位置を左右方向で調整することができるため、たとえば通話ユニットや選局ユニットに寸法誤差等が生じていて各機器間に隙間ができそうな場合にはその隙間をつめることができるし、反対に隣の機器によって押し出されそうな場合にも対応することができることになり、選局ユニットを容易に見栄え良く設置することができる。
【発明の効果】
【０００８】
本発明によれば、従来の如く選局ユニットの数に応じて様々なタイプの取付板を準備せずとも、設置予定の選局ユニットの数に応じて選局ユニット用取付板を増設するだけで対応することができ、各ユニットの設置が容易となるし、コスト低減にもなる。また、強度の点においても不足はない上、通話ユニット及び選局ユニットを設置した際に見栄えが良くなるような位置に、第２の取付板を容易に設置することができる。加えて、折り曲げ部同士を当接させて位置決めする構成と比較して、低コストで精度良く位置決めすることができる。
【図面の簡単な説明】
【０００９】
【図１】ナースコール親機を前面側から示した説明図である。
【図２】ナースコール親機において、通話ユニット、選局ユニット、通話ユニット用取付板、及び選局ユニット用取付板を分解して示した説明図である。
【図３】通話ユニット用取付板及び選局ユニット用取付板の位置決め状態を示した説明図である。
【図４】通話ユニット用取付板と選局ユニット用取付板とを示した斜視説明図である。
【図５】通話ユニット用取付板と選局ユニット用取付板とを示した斜視説明図である。
【図６】（Ａ）は、通話ユニットの上部及び下部を拡大して示した説明図であり、（Ｂ）は、選局ユニットの上部及び下部を拡大して示した説明図である。
【図７】選局ユニット用取付板に選局ユニットを取り付けた状態の上部及び下部を側方から示した説明図である。
【発明を実施するための形態】
【００１０】
以下、本発明の一実施形態となるナースコール親機の設置構造について、図面にもとづき詳細に説明する。
【００１１】
図１は、ナースコール親機１を前面側から示した説明図であり、図２は、ナースコール親機１において、通話ユニット３、選局ユニット５Ａ、５Ｂ、通話ユニット用取付板１０、及び選局ユニット用取付板２０Ａ、２０Ｂを分解して示した説明図である。
ナースコール親機１は、ナースコールシステムを構成するものであって、各病室のベッドサイドに設置されるナースコール子機（図示せず）等との間で通話するためのハンドセット２やモニター６等を有する通話ユニット３、及び通話するナースコール子機を選局するための複数の選局スイッチ４、４・・を有する２つの選局ユニット５Ａ、５Ｂ等からなり、通話ユニット用取付板１０及び選局ユニット用取付板２０Ａ、２０Ｂを介して壁面等の設置面へ設置されるようになっている。
【００１２】
ここで、本発明の要部となる通話ユニット３や選局ユニット５Ａ、５Ｂの設置面への設置構造について、図３〜図７をもとに説明する。
図３は、通話ユニット用取付板１０及び選局ユニット用取付板２０Ａ、２０Ｂの位置決め状態を示した説明図である。図４及び図５は、通話ユニット用取付板１０と選局ユニット用取付板２０Ａとを示した斜視説明図である。図６（Ａ）は、通話ユニット３の上部及び下部を拡大して示した説明図であり、図６（Ｂ）は、選局ユニット５Ａ（５Ｂ）の上部及び下部を拡大して示した説明図である。図７は、選局ユニット用取付板２０Ａ、２０Ｂに選局ユニット５Ａ、５Ｂを取り付けた状態の上部及び下部を側方から示した説明図である。
【００１３】
まず各取付板から説明すると、通話ユニット用取付板１０は、上下方向に長い長方形状の金属板であって、左右長さについては通話ユニット３の本体ケース３１の後面よりも僅かに長く、上下長さは通話ユニット３に設けられた掛止壁３２、３２間の距離と同じとなっている。また、通話ユニット用取付板１０の上辺、左右両側辺、及び下辺は後方へ折り曲げられており、自身の強度を向上するための折り曲げ部１１、１１・・となっている。さらに、通話ユニット用取付板１０の前面における右側縁部には、右隣に並設される選局ユニット用取付板２０Ａを位置決めするための位置決め凹部１２、１２・・が設けられている。各位置決め凹部１２は、後述する当接片２３の厚みと同じだけ周囲よりも後方へ凹んでいるとともに、前側及び右側が開放された矩形凹部として形成されており、通話ユニット用取付板１０の右側縁部における上部、中央部、及び下部の３箇所に設けられている。加えて、通話ユニット用取付板１０の上部及び下部には、自身を設置面へネジ止めするための設置孔１３、１３と、設置孔１３でのネジ止めのみでは設置強度が不足する場合に使用する補助孔１４、１４とが夫々一組ずつ設けられている。なお、１５は、通話ユニット３を通話ユニット用取付板１０にネジ止めして取り付けるための取付孔である。
【００１４】
一方、選局ユニット用取付板２０Ａ、２０Ｂも、通話ユニット用取付板１０同様に上下方向へ長い長方形状の金属板であって、左右長さについては選局ユニット５Ａ、５Ｂの本体ケース４１の後面（選局ユニット５Ａ、５Ｂの選局ユニット用取付板２０Ａ、２０Ｂに対向する面）よりも僅かに長く、上下長さは選局ユニット５Ａ、５Ｂに設けられた掛止壁４２、４２間の距離と同じとなっている。また、選局ユニット用取付板２０Ａ、２０Ｂの上辺、右辺、及び下辺も、通話ユニット用取付板１０同様に後方へ折り曲げられており、自身の強度を向上するための折り曲げ部２１、２１・・となっている。さらに、選局ユニット用取付板２０Ａ、２０Ｂの前面における右側縁部には、右隣に並設される別の選局ユニット用取付板を位置決めするための位置決め凹部２２、２２・・が設けられている。この位置決め凹部２２は、位置決め凹部１２と同形状（大きさや深さも含め）で、前側及び右側が開放された矩形凹部として形成されており、選局ユニット用取付板２０Ａ、２０Ｂの右側縁部における上部、中央部、及び下部の３箇所に、通話ユニット用取付板１０の位置決め凹部１２、１２と同じ上下方向での高さ位置及び間隔で設けられている。ただ、選局ユニット用取付板２０Ａ、２０Ｂの左側縁部については、通話ユニット用取付板１０と異なっており、通話ユニット用取付板１０の位置決め凹部１２、１２・・や選局ユニット用取付板２０Ａ、２０Ｂの位置決め凹部２２、２２・・と対応する位置に、位置決め凹部１２、２２に差し込み可能な当接片２３、２３・・が左方へ突設されている。該当接片２３は、選局ユニット用取付板２０Ａ、２０Ｂの左辺を後方へ折り曲げた折り曲げ部２４から切り起こし状に設けられている。
【００１５】
なお、２５は、自身を設置面へネジ止めするための設置孔、２６は、設置孔２５でのネジ止めのみでは設置強度が不足する場合に使用する補助孔であり、選局ユニット用取付板２０Ａ、２０Ｂの上部及び下部に夫々一組ずつ設けられている。また、２７は、自身に選局ユニット５Ａ、５Ｂをネジ止めして取り付けるための取付孔である。さらに、選局ユニット用取付板２０Ａ、２０Ｂの上下長さは、通話ユニット用取付板１０の上下長さと同じになっており、通話ユニット用取付板１０と選局ユニット用取付板２０Ａ、２０Ｂとを左右に並設する際、通話ユニット用取付板１０と選局ユニット用取付板２０Ａ、２０Ｂとの上辺や下辺は一直線となる。加えて、折り曲げ部２１、２４の折り曲げ長さ（折り曲げ部の前後方向への幅）は、通話ユニット用取付板１０の折り曲げ部１１の折り曲げ長さと同じになっており、通話ユニット用取付板１０と選局ユニット用取付板２０Ａ、２０Ｂとを左右に並設する際、通話ユニット用取付板１０の前面と選局ユニット用取付板２０Ａ、２０Ｂの前面とは面一となる。
【００１６】
次に機器側の説明をすると、通話ユニット３は、上下方向へ長い合成樹脂製の本体ケース３１内に種々の動作のための各種電子基板等（図示せず）を内蔵してなるものである。そして、本体ケース３１の後面の上辺及び下辺に沿っては、本体ケース３１よりも後方へ突出する掛止壁３２、３２が本体ケース３１の左右に亘って設けられている（図６（Ａ））。この掛止壁３２、３２の本体ケース３１後面からの後方への突出高さは、通話用ユニット取付板１０の折り曲げ部１１の折り曲げ長さと略同じとなっている。なお、ハンドセット２やモニター６等は、本体ケース３１の前面に設けられている。また、本体ケース３１には、通話ユニット用取付板１０へネジ止めするための複数のネジ止め孔（図示せず）が設けられている。
【００１７】
一方、選局ユニット５Ａ、５Ｂも、通話ユニット３同様、上下方向へ長い合成樹脂製の本体ケース４１内に種々の動作のための各種電子基板等を内蔵してなるものである。そして、本体ケース４１の後面の上辺及び下辺に沿って、本体ケース４１よりも後方へ突出する掛止壁４２、４２が本体ケース４１の左右に亘って設けられている（図６（Ｂ））。この掛止壁４２、４２の本体ケース４１後面からの後方への突出高さは、選局ユニット用取付板２０Ａ、２０Ｂの折り曲げ部２１、２４の折り曲げ長さと略同じとなっている。また、本体ケース４１の上部、中央部、及び下部で、選局ユニット用取付板２０Ａ、２０Ｂの取付孔２７、２７・・と対応する位置には、自身を選局ユニット用取付板２０Ａ、２０Ｂへネジ止めするためのネジ止め孔４３、４３・・が設けられている。そして、各ネジ止め孔４３は、左右方向へ長い長孔として形成されている。なお、選局スイッチ４、４・・等は、本体ケース４１の前面に設けられている。
【００１８】
そして、上述したような通話ユニット用取付板１０や選局ユニット用取付板２０Ａ、２０Ｂの設置面への設置、及び各取付板への各機器の取付作業について説明すると、まず通話ユニット用取付板１０を設置面の所定位置へネジ止めして設置する。また、通話ユニット用取付板１０の位置決め凹部１２、１２・・へ、選局ユニット用取付板２０Ａの当接片２３、２３・・を差し込むことにより、通話ユニット用取付板１０の右隣に選局ユニット用取付板２０Ａを位置決めし、選局ユニット用取付板２０Ａを設置面へネジ止めして設置する。さらに、選局ユニット用取付板２０Ａの位置決め凹部２２、２２・・へ、選局ユニット用取付板２０Ｂの当接片２３、２３・・を差し込み、選局ユニット用取付板２０Ａの右隣に選局ユニット用取付板２０Ｂを位置決めし、選局ユニット用取付板２０Ｂを設置面へネジ止めして設置する。
【００１９】
次に、通話ユニット３の上側の掛止壁３２を通話ユニット用取付板１０の上辺に掛止させるとともに、そのまま通話ユニット３を下方へ回動させて下側の掛止壁３２を通話ユニット用取付板１０の下辺に掛止させた後、通話ユニット３を通話ユニット用取付板１０へネジ止めして取り付ける。また、通話ユニット用取付板１０の右隣に並設された選局ユニット用取付板２０Ａに対し、通話ユニット３同様に、選局ユニット５Ａの上側の掛止壁４２を選局ユニット用取付板２０Ａの上辺に掛止させ、そのまま選局ユニット５Ａを下方へ回動させて下側の掛止壁４２を選局ユニット用取付板２０Ａの下辺に掛止させる。このとき、選局ユニット５Ａの本体ケース４１の後面が選局ユニット用取付板２０Ａの前面に載った状態となっており、選局ユニット５Ａは選局ユニット用取付板２０Ａの前面上において左右方向へスライド可能となっている（図７）。そして、選局ユニット５Ａを選局ユニット用取付板２０Ａへネジ止めして取り付けることになるが、このとき左右方向へ長い長孔として形成したネジ止め孔４３、４３・・を利用して、選局ユニット５Ａの選局ユニット用取付板２０Ａの前面上における左右方向での固定位置を調整する。さらに、選局ユニット５Ａが取り付けられた選局ユニット用取付板２０Ａの右隣にある選局ユニット用取付板２０Ｂに対し、今度は選局ユニット用取付板２０Ｂの前面上における選局ユニット５Ｂの左右方向での固定位置を調整しながら、上記取付作業と同様の取付作業で選局ユニット５Ｂを選局ユニット用取付板２０Ｂに取り付ければ、通話ユニット用取付板１０や選局ユニット用取付板２０Ａ、２０Ｂの設置面への設置、及び各取付板への各機器の取り付けは完了となる。
【００２０】
以上のような構成を有するナースコール親機１の設置構造によれば、通話ユニット３を取り付けるための通話ユニット用取付板１０と、選局ユニット５Ａ、５Ｂを取り付けるための選局ユニット用取付板２０Ａ、２０Ｂとが別体となっているため、従来の如く選局ユニットの数に応じて様々なタイプの取付板を準備せずとも、設置予定の選局ユニットの数に応じて選局ユニット用取付板を増設するだけで対応することができ、通話ユニット３や選局ユニット５Ａ、５Ｂの設置が容易となるし、コスト低減にもなる。
また、通話ユニット用取付板１０、選局ユニット用取付板２０Ａ、２０Ｂともに、外周縁部に沿って後方へ折り曲げられた折り曲げ部１１、２１、２４を備えているため、強度の点においても不足はない。
【００２１】
さらに、通話ユニット用取付板１０及び選局ユニット用取付板２０Ａ、２０Ｂの右側縁部に位置決め凹部１２、２２を、選局ユニット用取付板２０Ａ、２０Ｂの左側縁部に当接片２３を夫々設けており、選局ユニット用取付板２０Ａ、２０Ｂを並設する際に位置決め凹部１２、２２に当接片２３を差し込むことで、通話ユニット用取付板１０に対する選局ユニット用取付板２０Ａ、２０Ｂの設置位置を位置決め可能となっている。したがって、通話ユニット３及び選局ユニット５Ａ、５Ｂを設置した際に見栄えが良くなるような位置に、選局ユニット用取付板２０Ａ、２０Ｂを容易に設置することができる。
さらにまた、折り曲げ部同士を当接させて位置決めしようとすると、折り曲げ部の表面の成形に精度を求められることになり、製造コストが高騰する上、精度の向上にも限度がある。しかしながら、上記設置構造では、位置決め凹部１２、２３と当接片２３とにより位置決めするため、折り曲げ部同士を当接させて位置決めする構成と比較して、低コストで精度良く位置決めすることができる。
【００２２】
またさらに、選局ユニット用取付板２０Ａ、２０Ｂの左右長さが選局ユニット５Ａ、５Ｂの本体ケース４１における後面の左右長さよりも長くなっており、選局ユニット５Ａ、５Ｂが選局ユニット用取付板２０Ａ、２０Ｂの前面に載った状態となるようにするとともに、選局ユニット５Ａ、５Ｂに左右方向へ長い長孔として形成したネジ止め孔４３、４３・・を設けているため、選局ユニット５Ａ、５Ｂの選局ユニット用取付板２０Ａ、２０Ｂに対する固定位置を左右方向で調整することができる。したがって、たとえば通話ユニット３の本体ケース３１や選局ユニット５の本体ケース４１に寸法誤差等が生じていて各機器間に隙間ができそうな場合にはその隙間をつめることができるし、反対に隣の機器によって押し出されそうな場合にも対応することができることになり、選局ユニット５Ａ、５Ｂを容易に見栄え良く設置することができる。
加えて、通話ユニット３の本体ケース３１や選局ユニット５の本体ケース４１に各取付板の上辺及び下辺に掛止可能な掛止壁３２、４２を設けているため、掛止壁３２、４２の取付板１０、２０Ａ、２０Ｂへの掛止により通話ユニット３や選局ユニット５を仮固定することができ、通話ユニット３や選局ユニット５の設置作業が非常に容易となる。
【００２３】
なお、本発明に係るナースコール親機の設置構造は、上記実施形態の態様に何ら限定されるものではなく、ナースコール親機の全体的な構成は勿論、各機器の各取付板への取り付け等に係る構成について、本発明の趣旨を逸脱しない範囲で、必要に応じて適宜変更することができる。
【００２４】
たとえば、上記実施形態では、選局ユニット５Ａ、５Ｂに長孔を設けているが、選局ユニット用取付板２０Ａ、２０Ｂの取付孔２７を長孔としてもよいし、長孔ではなく、別の調整機構を設けることも可能である。
また、上記実施形態では、２つの選局ユニット５Ａ、５Ｂを並設するとしているが、３つ以上の選局ユニットを並設することも当然可能であるし、１つしか設置しなくても何ら問題はない。
さらに、上記実施形態において取付板同士は、位置決め凹部１２、２２と当接片２３とが接触しているのみであるが、位置決め凹部１２、２２及び当接片２３にネジ孔を設け、ネジ止めにより取付板同士を連結するように構成することも可能である。
【００２５】
また、通話ユニット用取付板１０の左隣に選局ユニット用取付板２０Ａを並設可能とするために、通話ユニット用取付板１０の左側縁部に位置決め凹部１２、１２・・を設けてもよいし、各取付板に設ける位置決め凹部１２、２２や選局ユニット用取付板２０Ａ、２０Ｂに設ける当接片２３の数等については言うまでもなく適宜設計変更可能である。
加えて、通話ユニット用取付板１０や選局ユニット用取付板２０Ａ、２０Ｂを上下対称形状としてもよく、上下対称形状とすることにより、通話ユニット３の左側へ選局ユニット５Ａ、５Ｂを並設する場合に、通話ユニット用取付板１０や選局ユニット用取付板２０Ａ、２０Ｂを設置面に設置する際の姿勢を上下逆さとするだけで対応することができるというメリットがある。
【符号の説明】
【００２６】
１・・ナースコール親機、３・・通話ユニット、５・・選局ユニット、１０・・通話ユニット用取付板、１１・・折り曲げ部、１２・・位置決め凹部、１５・・取付孔、２０・・選局ユニット用取付板、２１、２４・・折り曲げ部、２２・・位置決め凹部、２３・・当接片（舌片）、２７・・取付孔、３１・・本体ケース、３２・・掛止壁、４１・・本体ケース、４２・・掛止壁、４３・・ネジ止め孔（調整機構）。
【図１】
2015027047.tif 000003
【図２】
2015027047.tif 000004
【図３】
2015027047.tif 000005
【図４】
2015027047.tif 000006
【図５】
2015027047.tif 000007
【図６】
2015027047.tif 000008
【図７】
2015027047.tif 000009